(57)【要約】      （修正有）【課題】動力電池の安全ヘッドカバーの提供。【解決手段】第１の電極ポールユニット１、第２の電極ポールユニット７、減圧弁４、液体注入孔３及び安全逆転弁６を備え、第１の電極ポールユニット１がヘッドカバーシート２に電気接続され、第２の電極ポールユニット７がヘッドカバーシート２に絶縁的に配置され、安全逆転弁６がヘッドカバーシート２に電気接続され、ヘッドカバーシート２の上方にショート保護導電性シートが設置され、ショート保護導電性シート５が第２の電極ポールユニット７に電気接続され、ショート保護導電性シート５が安全逆転弁６の上方に位置しており、第１の電極ポールユニット１は、第１の電極ポール本体１１並びに第１の電極ポール本体１１の周方向に設置されている金属パッド１２及び電気抵抗ブロック１３を含む動力電池の安全ヘッドカバー。【選択図】図１
2015095462.tif 000002
【特許請求の範囲】
【請求項１】
ヘッドカバーシート並びに前記ヘッドカバーシートに設置されている第１の電極ポールユニット、第２の電極ポールユニット、減圧弁、液体注入孔及び安全逆転弁を備え、
前記第１の電極ポールユニットが前記ヘッドカバーシートに電気接続され、前記第２の電極ポールユニットが前記ヘッドカバーシートに絶縁的に配置され、前記安全逆転弁が前記ヘッドカバーシートに電気接続され、前記ヘッドカバーシートの上方にショート保護導電性シートが設置され、前記ショート保護導電性シートが前記第２の電極ポールユニットに電気接続され、前記ショート保護導電性シートが前記安全逆転弁の上方に位置している、動力電池の安全ヘッドカバーであり、
前記第１の電極ポールユニットは、第１の電極ポール本体並びに前記第１の電極ポール本体の周方向に設置されている金属パッド及び電気抵抗ブロックを含み、前記電気抵抗ブロックが前記金属パッドの下方に設置され、前記電気抵抗ブロックは、基材及び前記基材の表面に塗布されているコーティング層を含むことを特徴とする動力電池の安全ヘッドカバー。
【請求項２】
前記電気抵抗ブロックが前記第１の電極ポール本体と前記ヘッドカバーシートとの間に位置しており、且つ前記第１の電極ポール本体が前記電気抵抗ブロックを介して前記ヘッドカバーシートに導通されていることを特徴とする請求項１記載の動力電池の安全ヘッドカバー。
【請求項３】
前記電気抵抗ブロックの形状が方形、丸形または楕円形に構成されていることを特徴とする請求項１記載の動力電池の安全ヘッドカバー。
【請求項４】
前記コーティング層の厚さが１５０〜４００μｍであることを特徴とする請求項１記載の動力電池の安全ヘッドカバー。
【請求項５】
前記コーティング層の厚さが２００〜３００μｍであることを特徴とする請求項４記載の動力電池の安全ヘッドカバー。
【請求項６】
前記ショート保護導電性シートの一端は、溶接、リベット締め、螺合または粘着することによって前記ヘッドカバーシートに接続され、前記ショート保護導電性シートの他端は、溶接、リベット締め、螺合または粘着することによって前記第２の電極ポールユニットに接続されていることを特徴とする請求項１記載の動力電池の安全ヘッドカバー。
【請求項７】
前記安全逆転弁が前記ヘッドカバーシートに溶接されていることを特徴とする請求項１記載の動力電池の安全ヘッドカバー。
【請求項８】
前記安全逆転弁にノッチが設けられており、前記ノッチの深さが０．０５〜２ｍｍであることを特徴とする請求項１記載の動力電池の安全ヘッドカバー。
【発明の詳細な説明】
【技術分野】
【０００１】
本発明は、動力電池の技術分野に関し、特に動力電池の安全ヘッドカバーに関する。
【背景技術】
【０００２】
現代社会の発展と伴い、人々の環境保護意識の増加のため、益々多くの設備には、充電可能な二次電池を電源として利用されている。例えば、携帯電話、ノートパソコン、電動ツール及び電動自動車等が挙げられる。充電可能な二次電池の応用及び発展に広大な空間が提供されている。
【０００３】
電動自動車及びエネルギー蓄積発電所等では、一般的に大容量の動力電池を電源として利用する必要がある。これらの動力電池に対し、高容量を有することだけでなく、良好なセキュリティー及び比較的長いサイクル寿命等を有することが要請されている。そうでないと、使用の基準に達成できず、人々のニーズにも満足できない。
【０００４】
一定の程度で動力電池の安全性を保証するために、電池ヘッドカバーの上に一つの減圧弁を取り付けることが一般的である。電池の不正充電、ショート、または高温等の悪い環境に露見されたことによって突発事故が発生する時、高エネルギーの電池には大量の気体が発生すると共に温度が急速に上昇し、気体が減圧弁に突き当たって圧力排出の目的が達成する。減圧弁が存在するため、一定の程度で電池の安全性能が向上できる。しかし、突発事故が発生する場合、電池そのものに蓄積しているエネルギーが放出できないおそれがあるので、電池そのものが隠れた危険体であり、一定の安全問題があると認められている。突発事故が発生した後、引き続き電池が過充電されると、さらに大きな安全事故が発生してしまう恐れがある。
【０００５】
登録番号がＺＬ２０１２２０４１９６２４．３の中国実用新案出願に上記課題を解決する技術案が提案され、当該発明は、電気抵抗ブロックを増加し且つこれを絶縁体の内部に設置することにより、電池の外部にショートが発生する時、電気抵抗ブロックによって外ショート時の電流の大きさを制御して、安全逆転弁及びショート保護導電性シートの安全を保護することが図れる。しかし、現在の時点で、上記実用新案の構成が複雑であり、独立な電気抵抗ブロックによって外ショート電流の大きさを制御する場合、その効果は理想的ではない。
【発明の概要】
【発明が解決しようとする課題】
【０００６】
本発明の目的は、従来技術の不足に対して、一種の動力電池の安全ヘッドカバーを提供することであり、当該ヘッドカバーに電気抵抗率が比較的大きく且つ融点が比較的高いコーティング層が設けられており、外部ショートが発生した時、回路の電気抵抗を制御することによって回路の電流の大きさを制御して、安全逆転弁及びショート保護導電性シートの安全性を守ることが図れ、動力電池の安全性能をさらに向上させる。そして、本発明の構成は簡単で、実用性が良い。
【課題を解決するための手段】
【０００７】
上記目的を実現するために、本発明には以下の技術的手段を採用した。動力電池の安全ヘッドカバーは、ヘッドカバーシート、及び前記ヘッドカバーシートに設置されている第１の電極ポールユニット、第２の電極ポールユニット、減圧弁、液体注入孔及び安全逆転弁を備え、前記第１の電極ポールユニットが前記ヘッドカバーシートに電気接続され、前記第２の電極ポールユニットが前記ヘッドカバーシートに絶縁的に取づけられ、前記安全逆転弁が前記ヘッドカバーシートに電気接続され、前記ヘッドカバーシートの上方にショート保護導電性シートが設置され、前記ショート保護導電性シートが前記第２の電極ポールユニットに電気接続され、前記ショート保護導電性シートが前記安全逆転弁の上方に位置しており、前記第１の電極ポールユニットは、第１の電極ポール本体並びに前記第１の電極ポール本体の周方向に設置されている金属パッド及び電気抵抗ブロックを含み、前記電気抵抗ブロックが前記金属パッドの下方に設置され、前記電気抵抗ブロックは、基材及び前記基材の表面に塗布されているコーティング層を含む。
【０００８】
電気抵抗ブロックの基材は、金属スタンピング・プレスまたは機械加工などの方式で製造でき、基材の表面のコーティング層は、浸漬塗装、吹き付け塗装またはブレード塗装等で実現できる。
【０００９】
本発明に記載の動力電池の安全ヘッドカバーの改善案として、前記電気抵抗ブロックが前記第１の電極ポール本体と前記ヘッドカバーシートとの間に位置しており、且つ前記第１の電極ポール本体が前記電気抵抗ブロックを介して前記ヘッドカバーシートに導通されている。
【００１０】
本発明に記載の動力電池の安全ヘッドカバーの改善案として、前記電気抵抗ブロックの形状が方形、丸形または楕円形に構成されている。
【００１１】
本発明に記載の動力電池の安全ヘッドカバーの改善案として、前記コーティング層の厚さが１５０〜４００μｍである。
【００１２】
本発明に記載の動力電池の安全ヘッドカバーの改善案として、前記コーティング層の厚さが２００〜３００μｍである。
【００１３】
本発明に記載の動力電池の安全ヘッドカバーの改善案として、前記ショート保護導電性シートの一端は、溶接、リベット締め、螺合または粘着することによって前記ヘッドカバーシートに接続され、前記ショート保護導電性シートの他端は、溶接、リベット締め、螺合または粘着することによって前記第２の電極ポールユニットに接続されている。
【００１４】
本発明に記載の動力電池の安全ヘッドカバーの改善案として、前記安全逆転弁が前記ヘッドカバーシートに溶接されている。
【００１５】
本発明に記載の動力電池の安全ヘッドカバーの改善案として、前記安全逆転弁にノッチが設けられており、前記ノッチの深さが０．０５〜２ｍｍである。
【発明の効果】
【００１６】
本発明の有益効果として、本発明は、ヘッドカバーに電気抵抗ブロックを増加し、且つ前記電気抵抗ブロックに電気抵抗率の比較的大きく、融点の比較的高いコーティング層を有させることにより、外部ショートが発生した時、回路の電気抵抗を制御することによって回路の電流量を制御して、安全逆転弁及びショート保護導電性シートの安全性を守ることが図れ、電池に突発事故が発生した後の過充電を有効に予防でき、また、突発事故が発生した電池内部のエネルギーを放出できるため、動力電池の安全性能がさらに向上した。本発明によれば、基材上にコーティング層を塗布することだけで、動力電池の安全性能を向上させることができる。その反面、従来技術では電気抵抗ブロックを絶縁体の内部に設置するこそ実現できることから考えると、本発明の構成が簡単で、実用性が良いことが分かる。
【図面の簡単な説明】
【００１７】
【図１】本発明の構成概略図である。
【図２】図１におけるＡ部拡大図である。
【図３】本発明における電気抵抗ブロックの構成概略図である。
【発明を実施するための形態】
【００１８】
以下、具体的な実施形態及び図面を参照しながら、本発明をさらに詳しく説明する。しかし、本発明の実施形態はそれに限定されるものではない。
【００１９】
図１〜３に示されているように、動力電池の安全ヘッドカバーは、ヘッドカバーシート２、及びヘッドカバーシート２に設置されている第１の電極ポールユニット１、第２の電極ポールユニット７、減圧弁４、液体注入孔３、安全逆転弁６を備え、第１の電極ポールユニット１がヘッドカバーシート２に電気接続され、第２の電極ポールユニット７とヘッドカバーシート２とが絶縁的に取づけられ、安全逆転弁６がヘッドカバーシート２に電気接続され、ヘッドカバーシート２の上方にショート保護導電性シート５が設置され、ショート保護導電性シート５が第２の電極ポールユニット７に電気接続され、ショート保護導電性シート５は、安全逆転弁６の上方に位置している。安全逆転弁６及びショート保護導電性シート５は、例えば、銅または鉄などの融点が比較的高い材料を採用することが好ましい。第１の電極ポールユニット１は、第１の電極ポール本体１１及び第１の電極ポール本体１１の周方向に設置されている金属パッド１２、電気抵抗ブロック１３を備え、電気抵抗ブロック１３が金属パッド１２の下方に設置され、電気抵抗ブロック１３の形状が方形に構成され、電気抵抗ブロック１３は、基材１４及び基材１４の表面に塗布されているコーティング層１５を含み、基材１４及びコーティング層１５のいずれも材料の成分及び厚さによって電気抵抗ブロックの電気抵抗の大きさを調整でき、基材１４は、一般的に、
2015095462.tif 000003
【００２０】
なお、電気抵抗ブロック１３は、第１の電極ポール本体１１とヘッドカバーシート２との間に位置しており、そして、第１の電極ポール本体１１が電気抵抗ブロック１３を介してヘッドカバーシート２に導通されている。電気抵抗ブロック１３の形状が、丸形または楕円形に設定されても良い。
【００２１】
コーティング層１５の厚さが１５０〜４００μｍであることが好ましい。
【００２２】
さらに、コーティング層１５の厚さが２００〜３００μｍであることが好ましい。電池に外ショートを発生した時、この厚さで電気抵抗ブロック１３の電気抵抗が予めデザインされた５０〜１３０ｍｏｈｍの範囲に達成できるため、回路の電気抵抗が一定の安定的な範囲に維持されることが保証でき、回路の電流が制御できことになり、最終的に安全逆転弁６及びショート保護導電性シート５を保護することが実現できる。
【００２３】
ショート保護導電性シート５の一端は、溶接、リベット締め、螺合または粘着することによってヘッドカバーシート２に接続され、ショート保護導電性シート５の他端は、溶接、リベット締め、螺合または粘着することによって第２の電極ポールユニット７に接続される。これにより、ショート保護導電性シート５は同時にヘッドカバーシート２及び第２の電極ポールユニット７に電気接続されている。
【００２４】
安全逆転弁６がヘッドカバーシート２に溶接されている。具体的に、安全逆転弁６は、レーザー溶接によって、ヘッドカバーシート２に設けられた孔にシールに設置されている。安全逆転弁６の逆転気圧が０．３〜０．５ＭＰａであり、そして、０．７ＭＰａの気圧で破裂することはなく、逆転高さが０．５ｍｍ又は０．５ｍｍ以上である。安全逆転弁６にノッチ９が設けられ、ノッチ９の深さが０．０５〜２ｍｍであり、一般的に、ノッチ９の深さが０．２５程度である。この深さでの調整によって逆転気圧を改善することができるため、ノッチ９付きの安全逆転弁６の周辺がヘッドカバーシート２における孔８のエッジに固定接続され、ノッチ９の深さが深ければ深いほど、安全逆転弁６の逆転すべき気圧が低い。
【００２５】
通常の場合、安全逆転弁６がショート保護導電性シート５に接触しない。電池に突発事故が発生した時、電池内部の気圧が上昇し、内圧が安全逆転弁６の逆転圧力に達成した時、安全逆転弁６が動作してショート保護導電性シート５に接触することになり、電池の外ショートを実現することができる。第１の電極ポールユニット１及び第２の電極ポールユニット７は、その中に設置されている電気抵抗によって電流の大きさを制御して、熱発生量の大きさを制御することができ、安全逆転弁６の熔けきりが発生しないように保護を行うため、安全逆転弁６を保護する役割を果たせる。このように、過充電流の解消を確保することができる一方、隠れた危険となる電池のエネルギーを放出でき、隠れた危険が消除される。
【００２６】
上記明細書の開示及び教導に基づき、本発明の分野に所属する技術者は、さらに上記実施形態を変更または修正することができる。そのため、本発明は、上記の具体的な実施形態に限定されるものではなく、当業者によって本発明を元に完成した、如何なる明らかな改善、切替または変更はすべて本発明の保護範囲に含まれる。また、本明細書においていくつかの特定用語が使われるが、それらの用語は、説明の便利上のため、本発明に限定を与えるものではない。
【符号の説明】
【００２７】
１  第１の電極ポールユニット、２  ヘッドカバーシート、３  液体注入孔、４  減圧弁、５  ショート保護導電性シート、６  安全逆転弁、７  第２の電極ポールユニット、８  孔、９  ノッチ、１１  第１の電極ポール本体、１２  金属パッド、１３  電気抵抗ブロック、１４  基材、１５  コーティング層
【図１】
2015095462.tif 000004
【図２】
2015095462.tif 000005
【図３】
2015095462.tif 000006